(57)【要約】【課題】作業性の良い空気調和機を得る。【解決手段】枠体２及び枠体２よりも背面側に設けられる基体３を有する本体１を備え、枠体２の背面には、枠体側係合部２ａと、枠体側係合部２ａの両側において後方に延出する延出部２ｂと、が設けられ、基体３の前面には、枠体側係合部２ａと係合する基体側係合部３ａと、延出部２ｂの下方に位置する支持台３ｂと、が設けられ、枠体２が基体３に取り付けられると、枠体側係合部２ａと基体側係合部３ａとが係合し、延出部２ｂは支持台３ｂによって支持される。【選択図】図６
2015206546.tif 000002
【特許請求の範囲】
【請求項１】
枠体及び前記枠体よりも背面側に設けられる基体を有する本体を備え、
前記枠体の背面には、
枠体側係合部と、前記枠体側係合部の両側において後方に延出する延出部と、が設けられ、
前記基体の前面には、
前記枠体側係合部と係合する基体側係合部と、前記延出部の下方に位置する支持台と、が設けられ、
前記枠体が前記基体に取り付けられると、前記枠体側係合部と前記基体側係合部とが係合し、前記延出部は前記支持台によって支持される
ことを特徴とする空気調和機。
【請求項２】
前記枠体側係合部は、上方に突出する枠体側爪部を有し、
前記基体側係合部は、下方に突出する基体側爪部を有し、
前記枠体が前記基体に取り付けられると、前記枠体側爪部と前記基体側爪部とが係合する
ことを特徴とする請求項１に記載の空気調和機。
【請求項３】
前記枠体側爪部は、
前記枠体の後方に向かうにつれて下方に傾斜する第１傾斜面を有する
ことを特徴とする請求項２に記載の空気調和機。
【請求項４】
前記基体側爪部は、
前記基体の後方に向かうにつれて下方に傾斜する第２傾斜面を有する
ことを特徴とする請求項２又は請求項３に記載の空気調和機。
【請求項５】
前記枠体側爪部、前記基体側爪部、及び前記延出部の少なくとも何れかは側面視において直角三角形となっている
ことを特徴とする請求項２〜請求項４の何れか一項に記載の空気調和機。
【請求項６】
前記支持台は、
前記枠体側係合部と前記基体側係合部とが係合する位置よりも前記本体の前方において前記延出部を支持する
ことを特徴とする請求項１〜請求項５の何れか一項に記載の空気調和機。
【請求項７】
前記支持台は、
前記基体の後方に向かうにつれて下方に傾斜する第３傾斜面を有する
ことを特徴とする請求項１〜請求項６の何れか一項に記載の空気調和機。
【請求項８】
前記枠体側係合部及び前記基体側係合部の何れか一方の部位のうち、前記枠体側係合部及び前記基体側係合部の何れか他方と当接する部位には、凹部が設けられている
ことを特徴とする請求項１〜請求項７の何れか一項に記載の空気調和機。
【発明の詳細な説明】
【技術分野】
【０００１】
本発明は、空気調和機に関する。
【背景技術】
【０００２】
従来、前面パネル及びユニット本体によって構成される室内ユニットを備えた空気調和装置があった（例えば、特許文献１参照）。特許文献１に記載の空気調和装置は、前面パネルに設けられた凹部とユニット本体に設けられた係合爪とが係合することで、前面パネルがユニット本体に取り付けられ、前面パネルの落下を抑制している。
【先行技術文献】
【特許文献】
【０００３】
【特許文献１】特開平９−１１２９４８号公報（［０１１９］〜［０１２１］、図１１）
【発明の概要】
【発明が解決しようとする課題】
【０００４】
特許文献１に記載の空気調和装置において、前面パネル（枠体）及びユニット本体（基体）の係り代を少なくすると、例えばメンテナンス時において、前面パネルとユニット本体との係合状態を容易に解除できるものの、前面パネルとユニット本体との係合状態が強固でなくなる。
【０００５】
また、特許文献１に記載の空気調和装置において、前面パネル（枠体）及びユニット本体（基体）の係り代を多くすると、前面パネルとユニット本体との係合状態が強固になるものの、例えばメンテナンス時において、前面パネルとユニット本体との係合状態を容易に解除できない。
【０００６】
このように、特許文献１に記載の空気調和装置においては、前面パネルとユニット本体との係合状態を強固にしつつ、前面パネルとユニット本体との係合状態を容易に解除できないため、作業性が良くないという課題があった。
【０００７】
本発明は、上述のような課題を背景としてなされたものであり、作業性の良い空気調和機を得ることを目的としている。
【課題を解決するための手段】
【０００８】
本発明に係る空気調和機は、枠体及び前記枠体よりも背面側に設けられる基体を有する本体を備え、前記枠体の背面には、枠体側係合部と、前記枠体側係合部の両側において後方に延出する延出部と、が設けられ、前記基体の前面には、前記枠体側係合部と係合する基体側係合部と、前記延出部の下方に位置する支持台と、が設けられ、前記枠体が前記基体に取り付けられると、前記枠体側係合部と前記基体側係合部とが係合し、前記延出部は前記支持台によって支持されるものである。
【発明の効果】
【０００９】
本発明によれば、枠体が基体に取り付けられると、枠体側係合部と基体側係合部とが係合し、延出部は支持台によって支持されるため、係り代を確保しつつ、枠体と基体との係合状態を容易に解除することができる。したがって、作業性の良い空気調和機を得ることができる。
【図面の簡単な説明】
【００１０】
【図１】本発明の実施の形態に係る空気調和機１００の全体斜視図である。
【図２】本発明の実施の形態に係る空気調和機１００の分解斜視図である。
【図３】本発明の実施の形態に係る空気調和機１００の枠体２を示す図である。
【図４】本発明の実施の形態に係る空気調和機１００の基体３を示す図である。
【図５】本発明の実施の形態に係る空気調和機１００の組み付け時の枠体側係合部２ａ及び基体側係合部３ａの縦断面図である。
【図６】本発明の実施の形態に係る空気調和機１００の組み付け時の延出部２ｂ及び支持台３ｂの縦断面図である。
【図７】本発明の実施の形態に係る空気調和機１００の着脱時の枠体側係合部２ａ及び基体側係合部３ａの縦断面図である。
【図８】本発明の実施の形態に係る空気調和機１００の着脱時の延出部２ｂ及び支持台３ｂの縦断面図である。
【発明を実施するための形態】
【００１１】
図１は本発明の実施の形態に係る空気調和機１００の全体斜視図である。図２は本発明の実施の形態に係る空気調和機１００の分解斜視図である。
【００１２】
図１に示されるように、空気調和機１００（室内機）の外郭は、本体１で構成されている。本体１は、図２に示されるように、枠体２、基体３、及び据付板８で構成される。枠体２は本体１の前面及び天面を構成する部材である。基体３は、本体１の背面を構成する部材であり、枠体２よりも背面側に設けられる。据付板８は、例えば壁や柱に据え付けられる部材である。据付板８には、基体３が取り付けられる。本体１の内部には、熱交換器４、電気品箱５、送風ユニット６、及びドレンパンユニット７が設けられている。
【００１３】
熱交換器４は、冷房時には蒸発器として機能し、暖房時には凝縮器として機能する熱交換器である。電気品箱５は、制御基板（図示省略）等の部品を収納するものである。送風ユニット６は、ファン（図示省略）及び当該ファンを回転させるモータ（図示省略）を有するユニットである。ドレンパンユニット７は、熱交換器４で生じる結露水を受けるユニットである。
【００１４】
以下に、空気調和機１００の組み立てについて説明する。
まず、熱交換器４、電気品箱５、送風ユニット６、及びドレンパンユニット７が基体３に組み付けられる。次に、枠体２が基体３に取り付けられ、据付板８が壁や柱に据え付けられた状態で、基体３が据付板８に引っ掛けられる。このようにして、空気調和機１００が組み立てられる。
【００１５】
図３は本発明の実施の形態に係る空気調和機１００の枠体２を示す図である。図４は本発明の実施の形態に係る空気調和機１００の基体３を示す図である。まず、枠体２の構造について説明し、次に、基体３の構造について説明する。
【００１６】
図３に示されるように、枠体２の背面上端部には、枠体側係合部２ａ及び延出部２ｂが設けられている。枠体側係合部２ａは、枠体２の後方に突出するように複数設けられる。枠体側係合部２ａは、例えば、水平方向に所定の間隔毎に４つ設けられている。枠体側係合部２ａには、枠体側爪部２ａ１及び凹部２ａ２が設けられている。枠体側爪部２ａ１及び凹部２ａ２の詳細については後述する。
【００１７】
延出部２ｂは、枠体２の後方に延出するように設けられ、枠体側係合部２ａの左右（両側）に隙間を隔てて設けられている。延出部２ｂは、図３のように、１つの枠体側係合部２ａの左右にそれぞれ１つずつ設けられていてもよいし、例えば、１つの枠体側係合部２ａの左右にそれぞれ複数（例えば２つ）設けられていてもよい。
【００１８】
なお、図３においては、図３中の（ａ３）の部分拡大図のみを示しているが、（ａ１）、（ａ２）、及び（ａ４）の部分拡大図についても、（ａ３）の部分拡大図と同様である。
【００１９】
また、枠体２の背面上端部に枠体側係合部２ａ及び延出部２ｂが設けられる例について説明したが、これに限定されない。例えば、枠体２の背面上端部よりも下方に枠体側係合部２ａ及び延出部２ｂが設けられていてもよい。
【００２０】
図４に示されるように、基体３の前面上端部には、基体側係合部３ａ及び支持台３ｂが設けられている。基体側係合部３ａには、基体側爪部３ａ１（後述する）が設けられる。基体側係合部３ａは、枠体側係合部２ａと係合するものであり、例えば３つ並べて設けられる。支持台３ｂは、延出部２ｂを支持する部材であり、例えば２つ設けられる。支持台３ｂは、基体側係合部３ａの両側の下方にそれぞれ設けられている。基体側爪部３ａ１及び支持台３ｂの詳細については後述する。
【００２１】
なお、図４においては、図４中の（ｂ３）の部分拡大図のみを示しているが、（ｂ１）、（ｂ２）、及び（ｂ４）の部分拡大図についても、（ｂ３）の部分拡大図と同様である。
【００２２】
また、基体３の前面上端部に基体側係合部３ａ及び支持台３ｂが設けられる例について説明したが、これに限定されない。例えば、基体３の前面上端部よりも下方に基体側係合部３ａ及び支持台３ｂが設けられていてもよい。
【００２３】
図５は本発明の実施の形態に係る空気調和機１００の組み付け時の枠体側係合部２ａ及び基体側係合部３ａの縦断面図である。図６は本発明の実施の形態に係る空気調和機１００の組み付け時の延出部２ｂ及び支持台３ｂの縦断面図である。図５及び図６を用いて、枠体２を基体３に組み付けた状態について説明する。
【００２４】
図５に示されるように、枠体側爪部２ａ１は、枠体２の後方に向かうにつれて下方に傾斜する傾斜面２ａ１１が設けられた部位であり、上方に突出している。枠体側爪部２ａ１は、枠体２を側面視した状態で、例えば、傾斜面２ａ１１を斜辺とする直角三角形状となるように構成される。凹部２ａ２は、枠体側係合部２ａの部位のうち、基体側係合部３ａと当接する部位に設けられ、下方に凹形状となっている。このように凹部２ａ２を設けることで、枠体２及び基体３の係り代を確保することができる。
【００２５】
なお、枠体側係合部２ａに凹部２ａ２が設けられる例について説明したが、これに限定されない。例えば、基体側係合部３ａの部位のうち、枠体側係合部２ａと当接する部位に凹部が設けられていてもよい。
【００２６】
図５に示されるように、基体側爪部３ａ１は、基体３の後方に向かうにつれて下方に傾斜する傾斜面３ａ１１が設けられた部位であり、下方に突出している。基体側爪部３ａ１は、基体３を側面視した状態で、例えば、傾斜面３ａ１１を斜辺とする直角三角形となるように構成されている。
【００２７】
図６に示されるように、支持台３ｂは、延出部２ｂの下方に位置し延出部２ｂを支持する部位であり、傾斜面３ｂ１１及び支持面３ｂ２が設けられる。傾斜面３ｂ１１は、基体３の後方に向かうにつれて下方に傾斜する面である。支持台３ｂは、例えば、側面視において傾斜面３ｂ１１が斜辺となる直角三角形の形状のものである。支持面３ｂ２は、延出部２ｂを支持する面であり、延出部２ｂの下面と当接する。なお、枠体２が基体３に取り付けられた状態で、支持面３ｂ２は枠体側係合部２ａよりも前方に位置している。
【００２８】
図５，図６に示されるように、枠体２には枠体側当接部２ｃが設けられ、基体３には基体側当接部３ｃが設けられている。枠体側当接部２ｃは、枠体２が基体３に取り付けられるときに、基体側当接部３ｃと当接する部位である。基体側当接部３ｃは、枠体２が基体３に取り付けられるときに、枠体側当接部２ｃと当接する部位である。
【００２９】
枠体２を基体３に組み付けた状態において、図５に示されるように、枠体側係合部２ａと基体側係合部３ａとが係合し、図６に示されるように、延出部２ｂが支持台３ｂに支持された状態となる。このように、枠体側係合部２ａと基体側係合部３ａとが係合することで、枠体２の前方への移動が規制される。また、延出部２ｂが支持台３ｂに支持されることで、枠体２の下方への移動が規制される。なお、支持台３ｂは、枠体側係合部２ａと基体側係合部３ａとが係合する位置よりも本体１の前方において延出部２ｂを支持する。
【００３０】
そして、図５に示されるように、枠体側係合部２ａと基体側係合部３ａとが係合し、図６に示されるように、延出部２ｂが支持台３ｂに支持された状態で、枠体２の下部及び基体３の下部をネジ（図示省略）等の部材を用いて枠体２を基体３に組み付けることで、枠体２は基体３に固定される。
【００３１】
図７は本発明の実施の形態に係る空気調和機１００の着脱時の枠体側係合部２ａ及び基体側係合部３ａの縦断面図である。図８は本発明の実施の形態に係る空気調和機１００の着脱時の延出部２ｂ及び支持台３ｂの縦断面図である。
【００３２】
以下に、図７及び図８を用いて、（ａ）枠体２を基体３から取り外す手順、（ｂ）枠体２を基体３に取り付ける手順、について説明する。
【００３３】
（ａ）枠体２を基体３から取り外す手順
まず、図５，図６に示されるように、枠体２が基体３に取り付けられた状態で、枠体２の前面側を持ち上げて枠体２を傾ける。そうすると、図７，図８に示されるように、枠体２は支持台３ｂを支点として回転して傾き、枠体側爪部２ａ１と基体側係合部３ａとの係合状態が解除される。次に、枠体２の前方且つ上方（図７，図８中の実線矢印方向）に力を加える。ここで、支持台３ｂには傾斜面３ｂ１１が設けられているため、枠体２の前方且つ上方に力を加えていくと、枠体２の角度は傾斜面３ｂ１１と同一角度となるように調整（案内）される。そして、枠体２の前方且つ上方に力を加えていくと、枠体２は基体３から取り外される。
【００３４】
（ｂ）枠体２を基体３に取り付ける手順
まず、枠体２の前方を持ち上げて枠体２を傾ける。次に、枠体側係合部２ａ及び延出部２ｂが、基体側係合部３ａと支持台３ｂとの間に位置するように枠体２を移動させた状態で、枠体２を基体３の内部に向かって押し込んでいく（図７，図８中の点線矢印方向）。ここで、支持台３ｂには傾斜面３ｂ１１が設けられているため、枠体２を基体３の内部に押し込んでいくと、枠体２の角度は傾斜面３ｂ１１と同一角度となるように調整（案内）される。そして、枠体２を基体３の内部に押し込んでいくと、枠体側当接部２ｃと基体側当接部３ｃとが当接し、枠体２を基体３の内部に向かって押し込む力が規制される。このように、枠体２を基体３の内部に押し込んだ状態で、枠体２の前面側を下方に移動させて枠体２を水平にする。これにより、図５，図６に示されるように、枠体側係合部２ａと基体側係合部３ａとが係合し、延出部２ｂは支持台３ｂによって支持される。
【００３５】
以上のように、本実施の形態に係る空気調和機１００は、枠体２及び枠体２よりも背面側に設けられる基体３を有する本体１を備え、枠体２の背面には、枠体側係合部２ａと、枠体側係合部２ａの両側において後方に延出する延出部２ｂと、が設けられ、基体３の前面には、枠体側係合部２ａと係合する基体側係合部３ａと、延出部２ｂの下方に位置する支持台３ｂと、が設けられ、枠体２が基体３に取り付けられると、枠体側係合部２ａと基体側係合部３ａとが係合し、延出部２ｂは支持台３ｂによって支持される。
このように、枠体２が基体３に取り付けられると、枠体側係合部２ａと基体側係合部３ａとが係合し、延出部２ｂは支持台３ｂによって支持されるため、係り代を確保することができ、枠体２と基体３との係合状態が強固な空気調和機１００を得ることができる。
また、例えば空気調和機１００のメンテナンス時においては、支持台３ｂを支点として枠体２を回動させて枠体２と基体３との係合状態を解除することができるため、枠体２と基体３との係合状態を容易に解除することができる。
したがって、作業性の良い空気調和機１００を得ることができる。
【００３６】
また、枠体側係合部２ａには、傾斜面２ａ１１が設けられている。このため、枠体２が基体３に取り付けられる場合において、仮に、枠体２を基体３の内部に押し込んでいく過程で枠体２と基体３とが接触しても、枠体２及び基体３が傷つく可能性を低減できる。
【００３７】
また、基体側係合部３ａには、傾斜面３ａ１１が設けられている。このため、枠体２が基体３に取り付けられる場合において、仮に、枠体２を基体３の内部に押し込んでいく過程で枠体２と基体３とが接触しても、枠体２及び基体３が傷つく可能性を低減できる。
【００３８】
また、支持台３ｂには、傾斜面３ｂ１１が設けられている。このため、枠体２が基体３に取り付けられる場合において、支持台３ｂは枠体２の押し込み方向を案内し、枠体２が基体３から取り外される場合において、支持台３ｂは枠体２の取り出し方向を案内する。このため、作業性の良い空気調和機１００を得ることができる。
【００３９】
なお、支持台３ｂの傾斜面３ｂ１１の傾斜角度は、枠体２を取り外す際の枠体２の傾斜角度と一致するように構成されることが望ましい。これにより、枠体２を基体３に取り付ける作業を容易にし、枠体２を基体３から取り外す作業を容易にすることができる。したがって、作業性の良い空気調和機１００を得ることができる。
【００４０】
なお、傾斜面２ａ１１は、本発明における「第１傾斜面」に相当する。
また、傾斜面３ａ１１は、本発明における「第２傾斜面」に相当する。
また、傾斜面３ｂ１１は、本発明における「第３傾斜面」に相当する。
【符号の説明】
【００４１】
１  本体、２  枠体、２ａ  枠体側係合部、２ａ１  枠体側爪部、２ａ１１  傾斜面、２ａ２  凹部、２ｂ  延出部、２ｃ  枠体側当接部、３  基体、３ａ  基体側係合部、３ａ１  基体側爪部、３ａ１１  傾斜面、３ｂ  支持台、３ｂ１１  傾斜面、３ｂ２  支持面、３ｃ  基体側当接部、４  熱交換器、５  電気品箱、６  送風ユニット、７  ドレンパンユニット、８  据付板、１００  空気調和機。
【図１】
2015206546.tif 000003
【図２】
2015206546.tif 000004
【図３】
2015206546.tif 000005
【図４】
2015206546.tif 000006
【図５】
2015206546.tif 000007
【図６】
2015206546.tif 000008
【図７】
2015206546.tif 000009
【図８】
2015206546.tif 000010